(57)【要約】 【課題】  光の焦点を調整することが可能な携帯用照明器具において、分解・分離機構と焦点調整機構とを独立させ、全体の形状を変化させずに焦点の調整を行うことが可能な携帯型照明器具を提供する。【解決手段】  光照射部と、光源保持部と、電源保持部と、光源ユニットからなる構造であり、光源保持部の内周面に螺合ねじ山を削設し、それに対応するねじ山を光源部の外周面に設けて、土台部に螺合締結した電源保持部を回転させることにより、光源保持部の内部で光源部のみが回動しながら縦（軸）方向に前進（延伸）・後退（縮退）して全体の形状を変化させずに焦点の調整を行うことが可能な構成である。【選択図】  図２
2017090072.tif 000002
【特許請求の範囲】
【請求項１】
ＬＥＤを備えた光源部(70)と、レンズを嵌合した照射口(25)を備えた光照射部(20)と、該光照射部(20)の基部に装着する光源保持部(30)と、該光源保持部(30)内部に格納される光源ユニット(60)と、該光源ユニット(60)に電力を供給する電源(110)と、該電源(110)を格納して前記光源保持部(30)に回転自在に嵌装される筒状からなる電源保持部(40)と、底部(50)と、からなる携帯用照明器具において、
前記光源ユニット(60)は、照射光を発光する光源部(70)と、前記電源保持部(40)が固定接続する土台部(80)とからなり、前記光源部(70)は一または複数からなる凸状の嵌合凸部(72)が立設されているとともに、前記土台部(80)は前記嵌合凸部(72)に対応する一または複数からなる凹状の嵌合凹部(82)が削設され、前記土台部(80)の回転動作に応動して前記光源部(70)が光源保持部(30)の内で前進（延伸）・後退（縮退）するように前記嵌合凸部(72)が前記嵌合凹部(82)の中にスライド自在に嵌入する構成で、
前記光源保持部(30)は、内周面（内壁）に螺合ねじ山(34)が削設されているとともに、前記光源部(70)は、外周面（外壁）に前記螺合ねじ山(34)に対応螺合する形状のねじ山(74)が削設されており、
前記携帯用照明器具の全体の長さを一定としたままで、前記光源部(70)が前記電源保持部(40)の回転に応動して回転しつつ、光源保持部(30)の内側で照射口(25)との間を前後移動して、光源とレンズの距離を可変にして照射した光の焦点を適宜に変更できるように、前記光源ユニット(60)を、前記光源保持部(30)の螺合ねじ山(34)と前記光源部(70)のねじ山(74)とを螺合させて、前記光源保持部(30)内に移動可能に格納するとともに、前記電源保持部(40)を前記土台部(80)に固定接続したことを特徴とする携帯用照明器具。
【請求項２】
前記光源保持部(30)は、前記光源ユニット(60)の脱落を防止するため、前記照射口と前記光源ユニットとの間にリング状のストッパ(100)を設けたことを特徴とする請求項１記載の携帯用照明器具。
【請求項３】
前記光源部(70)の光源は、ＬＥＤからなることを特徴とする請求項１記載の携帯用照明器具。
【発明の詳細な説明】
【技術分野】
【０００１】
本発明は、光源部７０のＬＥＤ７６と、照射口に嵌合しているレンズとの距離を調整することにより照射する光の焦点を調整することが可能な携帯用照明器具に関するものであり、特に、光源保持部の内周面（内壁）に螺合ねじ山３４を設け、それに対応するねじ山７４を光源部の外周面（外壁）に設けて螺合させて回動可能に係合接続することにより、携帯用照明器具の長さを一定としたままで、全体の長さを変えずに、各部の螺合締結を緩めることなく、光源であるＬＥＤ７６と、照射口に嵌合したレンズとの間隔を光源保持部の内部で前進（延伸）・後退（縮退）させて、照射する光の焦点を調整することが可能な携帯用照明器具に関する。
【背景技術】
【０００２】
携帯用照明器具は、懐中電灯・フラッシュライト等の名称で古くから利用されてきた照明器具であり、近年では光源とレンズまたは反射器との距離を変動可能にして照射される光の焦点を調整することが可能な様々な構造の携帯用照明器具が開発されている。【０００３】
照明器具の先端に嵌合したレンズと、ＬＥＤ等からなる光源との間の距離を可変にするために、ヘッド部分（光照射部２０と光源保持部３０）を筒体握持部（電源保持部３０と底部５０）と螺合締結させ、回転することによってヘッド部分を筒体握持部から延伸させるものや、ヘッド部分を筒体握持部に摺動可能に装着し、該ヘッド部分を前進・後退させることで光源とレンズの距離を変化させて、照射する光の焦点を調整する構造が採用されている。【０００４】
上記のいずれの方法による焦点調整方法においても、筒体握持部からヘッド部分を延伸させるため、焦点調整前と調整後における照明器具の全長が変化する構造であるため、収納などの際にかさばるという問題が生じていた。【０００５】
また、ヘッド部分と筒体握持部の螺合締結を解除して、ヘッド部分を回転させて抜き出しながら（分解工程）焦点を調整する構造では、過度に回動させすぎるとヘッド部分と筒体握持部の螺合ネジ溝が完全に外れてしまい、ヘッド部分が抜け落ちてしまうという問題が生じていた。そのため、焦点が合っている状態（ヘッド部分が延出している状態）で電源を切り、運搬中や、携帯中に振動などで筒体握持部との螺合が緩んでヘッド部分を紛失してしまうという問題も発生していた。【０００６】
ヘッド部分が筒体握持部から抜け落ちないように、摺動可能に嵌合装着されている構造のものでは、ヘッド部分が外れて欠損するという問題は解決されるが、焦点を調整するためにヘッド部分を筒体握持部から延出する必要があるため、ヘッド部分と筒体握持部の間に嵌装されているパッキンの消耗は激しく、また、度重なる回動や摺動により防水・防塵性能が著しく低下してしまうという問題も生じていた。【０００７】
螺合させるために使用されるネジ溝は、堅固に螺合締結させる十分な圧力を発生させることが可能な、一条ネジに近いネジ溝で構成されている。一条ネジはピッチとリードが等しく締結力が大きいため螺合締結には適しているが、一回転で１ピッチ分しか移動しないため、焦点を調整するためにヘッド部分を回転させて前進・後退させるには回転運動を繰返さなければならないという問題が生じていた。一方、４条ネジを採用すれば、一回転で４倍の距離を移動させることが可能となるため焦点の調整は容易になるが、肝心の螺合締結力が低下してしまうという問題も生じていた。【０００８】
携帯用照明器具の焦点の調整容易性と防水・防塵機能を高めるためには、ヘッド部分を前進（延出）させずに少ない回動動作で焦点を調整することが必要である。そのため、ヘッド部分と筒体握持部の回動による分解・分離機構（動作）と焦点調節の為の回動運動を連動させることなく、回動により内部構造（光源とレンズの間隔）を変化させて照射光の焦点を変更可能にする構造の開発が要請される。【０００９】
そこで、照射される光の焦点を調整することが可能な携帯用の照明器具であって、焦点調整前・調整後において、照明器具の全体形状（外形）に変化を及ぼすことがなく（ヘッド部分を筒体握持部から延出する必要が無く）、防水・防塵機能を長期に亘って維持することが可能であり、ヘッド部分と筒体握持部を分解・分離する機構と焦点調整機構が独立しており、更に、少ない回動動作で容易に光の焦点を調整することが可能な携帯用照明器具の開発が望まれていた。【００１０】
【特許文献１】特表２０１２−５１５４２４号公報
【発明の開示】
【発明が解決しようとする課題】
【００１１】
本発明の目的は、上記の課題を解決するため、光源から照射される光の位置と照射口に装着されたレンズの間の間隔を可変にして焦点を調整することが可能な携帯用照明器具であって、ヘッド部分と筒体握持部の分解・分離機構と、焦点を調整するための螺合回動機構を独立させ、光源保持部３０の内周面（内壁）に設けた螺合ねじ山３４と光源部７０のねじ山７４を螺合させ、光源保持部３０を回転させることにより、光源部７０を光源保持部３０の内部で前進（延伸）・後退（縮退）させることにより、照明器具自体の外形を変化させずに光の焦点の調整をすることが可能な携帯用照明器具を提供することを目的とする。
【課題を解決するための手段】
【００１２】
上記目的を達成するため本発明に係る携帯用照明器具は、ＬＥＤを備えた光源部(70)と、レンズを嵌合した照射口(25)を備えた光照射部(20)と、該光照射部(20)の基部に装着する光源保持部(30)と、該光源保持部(30)内部に格納される光源ユニット(60)と、該光源ユニット(60)に電力を供給する電源(110)と、該電源(110)を格納して前記光源保持部(30)に回転自在に嵌装される筒状からなる電源保持部(40)と、底部(50)と、からなる携帯用照明器具であって、前記光源ユニット(60)は、照射光を発光する光源部(70)と、前記電源保持部(40)が固定接続する土台部(80)とからなり、前記光源部(70)は一または複数からなる凸状の嵌合凸部(72)が立設されているとともに、前記土台部(80)は前記嵌合凸部(72)に対応する一または複数からなる凹状の嵌合凹部(82)が削設され、前記土台部(80)の回転動作に応動して前記光源部(70)が光源保持部(30)の内で前進（延伸）・後退（縮退）するように前記嵌合凸部(72)が前記嵌合凹部(82)の中にスライド自在に嵌入する構成で、前記光源保持部(30)は、内周面（内壁）に螺合ねじ山(34)が削設されているとともに、前記光源部(70)は、外周面（外壁）に前記螺合ねじ山(34)に対応螺合する形状のねじ山(74)が削設されており、前記携帯用照明器具の全体の長さを一定としたままで、前記光源部(70)が前記電源保持部(40)の回転に応動して回転しつつ、光源保持部(30)の内側で照射口(25)との間を前後移動して、光源とレンズの距離を可変にして照射した光の焦点を適宜に変更できるように、前記光源ユニット(60)を、前記光源保持部(30)の螺合ねじ山(34)と前記光源部(70)のねじ山(74)とを螺合させて、前記光源保持部(30)内に移動可能に格納するとともに、前記電源保持部(40)を前記土台部(80)に固定接続した構成である。【００１３】
前記光源保持部(30)は、前記光源ユニット(60)の脱落を防止するため、前記照射口と前記光源ユニットとの間にリング状のストッパ(100)を設けた構成である。【００１４】
前記光源部(70)の光源は、ＬＥＤからなる構成である。
【発明の効果】
【００１５】
本発明に係る携帯用照明器具は、上記詳述した通りの構成であるので、以下のような効果がある。
１．土台部８０に嵌合している光源部７０の外周面（外壁）にねじ山７４が設けられており、対応する光源保持部３０の内周面に設けられた螺合ねじ山３４で光源部７０を螺合回動させることにより、光源保持部３０の内部で光源部７０のみを前進（延伸）・後退（縮退）させることが可能である。光源保持部３０の内部で光源部７０のみを回動させて前後移動するため、携帯用照明器具の外形に変化を及ぼすことなく、また、光源保持部３０と電源保持部４０の分解・分離動作をすることなく照射する光の焦点を調整することが可能な構造である。【００１６】
２．光源保持部３０の略先端部分にストッパ１００を設けたことにより、光源部７０の過度な延出（前進）によるレンズ２７の破損を防止することが可能である。また、光源部７０をストッパ１００に当接する位置まで最大限に延伸させることにより、電源保持部４０を土台部８０に螺合締結させる際には土台部８０の回転を防止するストッパとなる。そのため、電源保持部４０と土台部８０を堅固に結合させることが可能である。
３．光源部７０の光源はＬＥＤからなるため、低消費電力で長寿命であり耐衝撃性も備えており、長期に亘って使用することが可能である。
【図面の簡単な説明】
【００１７】
【図１】本発明に係る携帯用照明器具の正面図
【図２】本発明に係る携帯用照明器具のＡ−Ａ’断面図
【図３】本発明に係る携帯用照明器具の拡大断面図
【図４】本発明に係る携帯用照明器具の光源ユニット６０が後退（縮退）した状態の分解正面図
【図５】本発明に係る携帯用照明器具の光源ユニット６０が前進（延伸）した状態の分解正面図
【図６】本発明に係る携帯用照明器具の光源部７０の分解斜視図
【図７】本発明に係る携帯用照明器具の土台部８０の分解斜視図
【発明を実施するための最良の形態】
【００１８】
以下、本発明に係る携帯用照明器具を図面に示す実施例に基づいて詳細に説明する。
本発明に係る携帯用照明器具１０は、光照射部２０と、光源保持部３０と、電源保持部４０と、底部５０と、光源ユニット６０と、電源１１０とからなる。
光照射部２０は、照射口２５と、光源保持部螺合溝２６と、レンズ２７とからなる。
光源保持部３０は、ストッパ螺合溝３２と、螺合ねじ山３４と、光照射部螺合溝３６とからなる。
電源保持部４０は、底部螺合溝４２と、土台部螺合溝４６とからなる。
底部５０は、電源保持部の基部螺合溝５２と、電源スイッチ５４とからなる。
光源ユニット６０は、光源部７０と、土台部８０からなる。
光源部７０は、嵌合凸部７２と、ねじ山７４と、ＬＥＤ７６とからなる。
土台部８０は、嵌合凹部８２と、電源保持部の先端部螺合溝８６とからなる。
ストッパ１００は、ストッパ外周螺合溝１０２の設けられた構成である。【００１９】
図１は、本発明に係る携帯用照明器具の正面図であり、光照射部２０と、光源保持部３０と、電源保持部４０と、底部５０が組み上がった状態で、全体の形状を変化させることなく光の焦点を調整することが可能である。【００２０】
図２は、本発明に係る携帯用照明器具のＡ−Ａ’断面図であり、携帯用照明器具の内部構造を示した図である。光源部７０が後退（縮退）して、嵌合凸部７２が土台部８０の嵌合凹部８２に完全に嵌入した状態を示している。【００２１】
図３は、携帯用照明器具Ａ−Ａ’断面図を拡大し、光源ユニット６０を更に詳細に指示した図である。図２と同様に光源部７０は完全に後退（縮退）した状態を示している。【００２２】
図４は、光源ユニット６０のみを示しており、光源部７０が後退（縮退）して、嵌合凸部７２が土台部８０の嵌合凹部８２に完全に嵌入している状態を示している。【００２３】
図５は、光源ユニット６０が回動し、光源部７０の嵌合凸部７２が土台部８０の嵌合凹部８２から前進（延伸）して抜け出した状態を示している。【００２４】
図６は、光源部７０の外周面にねじ山７４が削設されている状態を示す分解斜視図である。ねじ山７４は、光源保持部３０の内周面（内壁）に設けられた螺合ねじ山３４に対応して螺合し、回動により光源部７０を前進（延伸）・後退（縮退）させる構成を示している。【００２５】
図７は、土台部８０の分解斜視図であり、中空の円筒形からなる土台部８０の上部に嵌合凹部８２が凹設されており、該嵌合凹部８２に嵌合凸部７２が嵌合する構成を示している。【００２６】
携帯用照明器具１０は、先端の光照射部２０と光源保持部３０が係合して照明器具の上半分（ヘッド部分）を形成し、電源保持部４０と底部５０が係合して下半分（筐体握持部）を形成し、光源保持部３０に内装された光源ユニット６０の土台８０を介して上半分（ヘッド部分）と下半分（筐体握持部）を堅固に螺合させて携帯用照明器具を形成する。【００２７】
光照射部２０は、照射口２５と、光源保持部螺合溝２６と、レンズ２７を備えた携帯用照明器具の先端部分である。光照射部２０の先端には広径な開口である照射口２５が設けられており、光源部７０からの光を透過・反射させて光を照射する構成である。【００２８】
照射口２５は、光照射部２０の先端に設けられた広径の開口であり、照射口２５に嵌合したレンズに光源部７０のＬＥＤ７６からの光を照射することによって対象物を照らし出すことを可能にしている構成である。【００２９】
光源保持部螺合溝２６は、光照射部２０の基部に設けられた螺旋状の溝であり、光源保持部３０の光照射部螺合溝３６に対応した形状となっており、光照射部２０と光源保持部３０を螺合締結させる構成である。【００３０】
レンズ２７は、光照射部２０の先端に設けられた開口である照射口２５に嵌合するレンズであり、光源部７０のＬＥＤ７６からの光を屈折させて発散または集束させる。該レンズ２７は光照射部２０に固定装着されており、光源部７０を接近・離隔することにより、照射する光の焦点を調整することが可能となっている。【００３１】
光源保持部３０は、この実施例では円筒体からなり、その内周面（内壁）に設けられた、ストッパ螺合溝３２と、螺合ねじ山３４と、光照射部螺合溝３６が設けられている。先端部には光照射部２０が螺合締結され、光源保持部３０に内装された光源ユニット６０の土台部８０と電源保持部４０を螺合締結することにより携帯用照明器具を形成する。【００３２】
ストッパ螺合溝３２は、光源保持部３０の略先端の内周面（内壁）に設けられた螺旋状の溝であり、ストッパ１００の外周面（外壁）に設けられたストッパ外周螺合溝１０２に対応して螺合する構成となっている。【００３３】
螺合ねじ山３４は、光源保持部３０の内周面（内壁）の略半分から先端に向けて設けられた螺旋状の溝であり、光源部７０の外周面（外壁）に設けられた螺合ねじ山７４に対応して螺合する構成となっている。電源保持部４０を固定して、光源保持部３０を左回転方向に回動させると、上記の螺合ネジ構造により光源保持部３０の内部で光源部７０が前進（延伸）する。電源保持部４０の回動に合わせて、光源部７０はストッパ１００に当接するまで前進（延伸）する構成である。これとは逆に、光源保持部３０を固定して、電源保持部４０を右回転方向に回動させても光源部７０は同様に前進（延伸）する動きをする。各部を上記回動と反対方向に回すことにより、光源部７０は後退（縮退）する構成である。【００３４】
光照射部螺合溝３６は、光源保持部３０の先端の内周面（内壁）に設けられた螺旋状の溝であり、光照射部２０の光源保持部螺合溝２６に対応した形状となっており、光源保持部３０と光照射部２０を螺合締結させる構成である。【００３５】
電源保持部４０は、底部螺合溝４２と、土台部螺合溝４６とを備えており、内部には充電電池や乾電池などの電源となる蓄電池が内装された構成である。電源保持部４０の先端に底部螺合溝４２が設けられ、基部には土台部螺合溝４６が設けられている。【００３６】
底部螺合溝４２は、電源保持部４０の基部の内周面（内壁）に設けられた螺旋状の溝であり、底部５０の先端外周面に設けられた電源保持部の基部螺合溝５２に対応して螺合し、電源保持部４０と底部５０を堅固に螺合締結する構成である。【００３７】
土台螺合溝４６は、電源保持部４０の先端の内周面（内壁）に設けられた螺旋状の溝であり、土台部８０の基部に突設された凸部の外周面に設けられた電源保持部の先端部螺合溝８６に対応して螺合し、電源保持部４０と土台部８０を堅固に螺合締結する構成である。【００３８】
底部５０は、先端部に設けられた電源保持部の基部螺合溝５２と、基部に設けられた電源スイッチ５４とからなる。電源保持部４０に内装された電源から供給される電力のＯＮ／ＯＦＦを行うスイッチ機構が内装されている。従来の懐中電灯などに採用されている通電・遮断の機構で電力の供給をコントロールする構成である。【００３９】
電源保持部の基部螺合溝５２は、底部５０の先端の外周面に設けられた螺旋状の溝であり、電源保持部４０に設けられた底部螺合溝４２に対応して螺合し、底部５０と電源保持部４０を堅固に螺合締結する構成である。【００４０】
電源スイッチ５４は、底部５０の基部に設けられた電力の供給を制御するスイッチである。本実施例ではプッシュボタンスイッチとなっているが、図に示されている実施例に限定されるものではなく、回転式、スライド式等の従来のスイッチ機構を採用することが可能である。【００４１】
光源ユニット６０は、光源部７０と、土台部８０からなり、光源保持部３０の内部に内装され、本発明に係る光の焦点を調整する機能を制御する機構である。光源ユニット６０は、土台部８０の基部に設けられた電源保持部の先端部螺合溝８６と電源保持部４０の先端に設けられた土台部螺合溝４６により、電源保持部４０と堅固に螺合締結する。【００４２】
光源部７０は、嵌合凸部７２と、ねじ山７４と、ＬＥＤ７６とからなり、光源保持部３０の内部を前進（延伸）・後退（縮退）することにより、レンズで拡散・集束される光の焦点を調整する構成である。光源部７０の底部の周縁から基部方向に左右対称に二つの細長い嵌合凸部７２が立設され、該嵌合凸部７２は、土台部８０に設けられた嵌合凹部８２の中に嵌入する。また、光源部７０の外周面にはねじ山７４が設けられており、対応する光源保持部３０の内周面（内壁）に設けられた螺合ねじ山３４と螺合する構成である。光源部７０は、電源保持部とは螺合する構成ではなく、嵌合凸部７２と嵌合凹部８２を介して土台部８０に嵌合している。また、光源部７０は、上記の様に光源保持部３０と螺合しているが、溝同士が噛み合っているだけであり、いずれかの部材を堅固に固定するために螺合しているのではなく、光源保持部３０または電源保持部４０の回動に応動して縦（軸）方向に前進（延伸）・後退（縮退）する構造である。【００４３】
嵌合凸部７２は、光源部７０の基部に設けられた細長方体の棒状突起であり、土台部８０の嵌合凹部８２と対応する形状であって、光源部７０が完全に後退（縮退）した状態では嵌合凸部７２の全部が嵌合凹部８２の中に嵌入する。光源部７０が回動して前進（延伸）を開始すると、嵌合凸部７２は、嵌合凹部８２から軸（縦）方向へ摺動して凹部への全嵌入状態から徐々に引き出されるが、光源部７０が完全に前進（延伸）した状態において、凹部から抜けて外れない長さに形成されている。嵌合凸部７２は、光源保持部３０または土台部８０の回転の軸方向の移動距離に合わせて、光源部７０を回転させながら縦方向に前後に摺動させることが可能であればよく、本実施例においては２つ棒状突起から形成されているが、一本または二本以上の複数の凸部とすることも可能である。【００４４】
ねじ山７４は、光源部７０の外周面（外壁）に削設された螺旋状の溝であり、光源保持部３０の内周面（内壁）に設けられた螺旋状の螺合ねじ山３４に対応する状態で相互に螺合する。土台８０と堅固に螺合締結している電源保持部４０を固定した状態で光源保持部３０を左回転させることにより、光源保持部３０内部で光源部７０が前進（延伸）する構造である。また、光源保持部３０を右回転させることにより光源部７０を後退（縮退）させることが可能である。ねじ山７４（および螺合ねじ山３４）により前進する光源部７０は、先端がストッパ１００に当接することにより前進が停止する。光源部７０を後退させる場合は、光源部７０の底部が土台部８０の先端に当接することで後退が停止する構造である。【００４５】
ねじ山７４（および螺合ねじ山３４）は、光源部７０を前進・後退する動作のみに使用されている。他の螺合部のように各部品を堅固に螺合締結するための螺合ではないため、多条ネジを使用することが可能となっている。一般に使用されるネジは１条ネジであり、１ピッチの間に１条の螺旋であるため、一回転で１ピッチ分しか部材を軸方向に移動させることが出来ない。工具を使用せずに人間の手で螺合締結部の分解・組立が行われる携帯型照明器具は、結合圧力を高圧にすることが出来ないため、リードをピッチの数倍にした緩みやすい多条ネジ（４条ネジ等）は不向きである。一方、係合のために使用されていない、ねじ山７４・螺合ねじ山３４の螺旋溝は４条ネジ等とすることが出来るため、１条ネジに比べて一回転で４倍の長さの軸方向移動が可能となる。僅かな回転で大きく前進・後退させることが出来るため、容易に迅速に光の焦点を調整することが可能となる。【００４６】
ＬＥＤ７６は、本発明に係る携帯用照明器具の光源となる発光体である。本実施例では一つのＬＥＤのみを装備しているが、複数のＬＥＤ発光素子を装備することも可能である、また、ＬＥＤではなく他の光源を採用することも可能であり、本実施例の装備に限定されるものではない。【００４７】
土台部８０は、嵌合凹部８２と、電源保持部の先端部螺合溝８６とからなり、電源保持部４０と堅固に螺合締結することにより、電源保持部４０と共に回動する構成である。光源ユニット６０と光源保持部３０が組み上がっている状態で、電源保持部４０を土台部８０に螺合挿入した場合には、各部の摩擦抵抗力により土台部８０は保持されているので、土台部８０の電源保持部の先端部螺合溝８６と電源保持部４０の土台部螺合溝４６が螺合を開始する。その螺合圧力が、ねじ山７４と螺合ねじ山３４の螺合圧力を上回った時点で、土台８０が電源保持部４０と共に締込み方向（右回転）に回動を始める。その時点から光源部７０が前進を開始し、光源部７０の先端がストッパ１００に当接して停止した後、更なる圧力で電源保持部４０を土台部８０に捩じ込むことにより、土台部８０と電源保持部４０は本体に堅固に螺合締結される。【００４８】
土台部８０から電源保持部４０を取外す際には、光源部７０の基部が土台部８０の先端に当接する位置まで光源部７０を後退（縮退）させ、光源部７０の回転が完全に封止された後に、更に加圧して電源保持部を反時計回りに回動させることにより、土台部８０から電源保持部４０を分解・離脱させることが可能となる。【００４９】
ストッパ１００は、円環状のリング体からなり、外周面にストッパ外周螺合溝１０２を備えた構成である。ストッパ１００は、光源保持部３０の略先端の内周面（内壁）に螺合締結するように形成されており、光源ユニット６０から回動しながら前進（延出）してくる光源部７０の先端がストッパ１００の底部に当接することによって、光源部７０の前進（延出）を停止するために設けられている。光源部７０の前進（延出）を停止させることにより、過度の前進によるレンズ２７の破損を防止し、また、前述のように土台部８０と電源保持部４０が堅固に螺合締結することを可能にしている。【００５０】
ストッパ外周螺合溝１０２は、ストッパ１００の外周面に削設された螺旋状の溝であり、光源保持部３０の略先端部分の内周面（内壁）に設けられたストッパ螺合溝３２に対応して螺合するように構成されている。螺旋回転の圧力で前進しようとする光源部７０を停止させる為の部材である。【００５１】
電源１１０は、電源保持部内に内装されるＬＥＤを発光させる電源部材である。本実施例では充電式の二次電池を搭載しているが、大きさ・用途などに合わせて、乾電池など一次電池等、従来の様々な携帯型の小型バッテリーを採用することも可能である。【００５２】
本発明に係る携帯用照明器具は、光源ユニット６０の光源部７０が光源保持部３０の内部で回動に伴い軸方向に前進（延伸）・後退（縮退）して光の焦点を調整する構造であるため、焦点調整前と調整後において照明器具の外装の形状に変化を与えることがない構成となっている。そのため、照明器具の長さを常に一定に保つことが出来るため、ケースや鞄などへの収納・取出し時に嵩張ることがなく、スムーズに取り扱うことが可能である。また、内部の部材の回動のみで焦点を調整する構造であるため、焦点を調整した位置に留めたままで電源を切って収納・携帯することが可能である。【００５３】
本発明に係る携帯用照明器具は、本体の組立て作業に使用される各部の堅固な螺合締結と、焦点を調整する機構を独立して設けた構造であるため、焦点調整の動作によりヘッド部分が抜け落ちて欠損してしまうことを防止することが可能である。ヘッド部分を回動させて筒体握持部から外す分解動作を利用して光源とレンズとの距離を離隔していく方法で焦点を調整する機構において従来発生していた、過度に回動させ過ぎるとヘッド部分が抜け落ちてしまうという問題を解決したものである。【００５４】
本発明に係る構造の携帯用照明器具は、ヘッド部分（光源保持部３０と光照射部２０）が前後に移動することなく光の焦点を調整することが可能となっているため、ヘッド部分と筒体握持部の嵌合部の僅かな隙間に設けられているパッキンが前後運動の摩耗に晒されない構成となっている。そのため、ヘッド部分は前後には摺動せずに常に一定の位置での回転運動のみが行われるため、シール材にかかる負担を大幅に軽減することが出来る。これにより、従来の焦点調整の可能な携帯型照明器具と比べて大幅にシール材の耐用年数を延ばすことが可能であり、また、摩耗や劣化を防止することが出来るため、防水性・防塵性の高い携帯型照明器具を提供することが可能となっている。【００５５】
組立て用の螺合部と焦点調整用の螺合部を別機構としたことにより、部材同士の組立結合には適していない多条ネジを焦点の調整機構に採用することが可能となっている。４条ネジ等の多条ネジを使用することにより、一回の回動で通常のネジの４倍の距離を移動させることが可能となる。通常のネジの４倍の早さで焦点を調整する事が出来るため、迅速で容易な焦点調整を実現することが可能となっている。また、焦点調整のための回動運動の距離を短く出来るため、パッキンなどのシール材の摩耗を更に軽減させることも可能とした構成である。本実施例では半回転（１８０度）で約１センチメールの長さの前進（延伸）・後退（縮退）が可能となっている。
【符号の説明】
【００５６】
１０  携帯用照明器具
２０  光照射部
２５  照射口
２６  光源保持部螺合溝
２７  レンズ
３０  光源保持部
３２  ストッパ螺合溝
３４  螺合ねじ山
３６  光照射部螺合溝
４０  電源保持部
４２  底部螺合溝
４６  土台部螺合溝
５０  底部
５２  電源保持部の基部螺合溝
５４  電源スイッチ
６０  光源ユニット
７０  光源部
７２  嵌合凸部
７４  ねじ山
７６  ＬＥＤ
８０  土台部
８２  嵌合凹部
８６  電源保持部の先端部螺合溝
１００  ストッパ
１０２  ストッパ外周螺合溝
１１０  電源
【図１】
2017090072.tif 000003
【図２】
2017090072.tif 000004
【図３】
2017090072.tif 000005
【図４】
2017090072.tif 000006
【図５】
2017090072.tif 000007
【図６】
2017090072.tif 000008
【図７】
2017090072.tif 000009
【国際調査報告】
2017090072.tif 000010
2017090072.tif 000011
2017090072.tif 000012
2017090072.tif 000013